(57)【要約】【課題】液晶表示装置では、低温における液晶誘電率の周波数特性の悪化に起因して低温時のコントラストが低下する。【解決手段】表示エリア１４内のデータ線１２−１〜１２−６の各々にデータドライバ１７によって表示信号を書き込む前に、プリチャージスイッチ１９によってプリチャージ信号Ｐｓｉｇを書き込むプリチャージ動作を行うアクティブマトリクス型液晶表示装置において、プリチャージ信号Ｐｓｉｇとして、液晶への電圧非印加時の階調レベル、例えばコモン電圧ＶＣＯＭを用いることで、低温時のコントラストを増加させる。【選択図】図１
2008003618.tif 000002
【特許請求の範囲】
【請求項１】
画素が行列状に配置されてなる表示エリア内のデータ線の各々に表示信号を書き込む信号書き込み手段と、
前記信号書き込み手段によって前記各データ線に表示信号を書き込む前に、液晶への電圧非印加時の階調レベルをプリチャージ信号レベルとして前記データ線の各々に書き込むプリチャージ手段とを備え、
前記プリチャージ信号レベルがノーマルホワイトのとき白レベル、ノーマルブラックのとき黒レベルである
ことを特徴とする液晶表示装置。
【請求項２】
前記信号書き込み手段は、前記表示エリア内の同一行において隣接して並んだ複数個の画素を単位とし、これら複数個の画素に対応する表示信号を、１水平期間内に時系列で順にサンプリングして前記データ線の各々に供給し、
前記プリチャージ手段は、前記信号書き込み手段がサンプリングを行う前に前記プリチャージ信号を前記データ線の各々に書き込む
ことを特徴とする請求項１記載の液晶表示装置。
【請求項３】
前記信号書き込み手段は、前記表示エリア内の行単位の画素に対応する表示信号を、１水平期間内に順次サンプリングして前記データ線の各々に供給し、
前記プリチャージ手段は、前記信号書き込み手段がサンプリングを行う前に前記プリチャージ信号を前記データ線の各々に書き込む
ことを特徴とする請求項１記載の液晶表示装置。
【請求項４】
前記信号書き込み手段は、前記表示エリア内の行単位の画素に対応する表示信号を、１水平期間内に一括してサンプリングして前記データ線の各々に供給し、
前記プリチャージ手段は、前記信号書き込み手段がサンプリングを行う前に前記プリチャージ信号を前記データ線の各々に書き込む
ことを特徴とする請求項１記載の液晶表示装置。
【請求項５】
前記階調信号は、前記画素を構成する液晶セルの対向電極に与えるコモン電圧である
ことを特徴とする請求項１記載の液晶表示装置。
【請求項６】
前記階調信号は、前記画素を構成する液晶セルの画素電極に一端が、対向電極に他端がそれぞれ接続された保持容量の該他端に与える電圧である
ことを特徴とする請求項１記載の液晶表示装置。
【請求項７】
前記プリチャージ手段は、前記画素の各々に書き込む表示信号の極性が１フィールド期間（１Ｆ）周期で反転する１Ｆ反転駆動モードではプリチャージ動作を停止する
ことを特徴とする請求項１記載の液晶表示装置。
【請求項８】
前記プリチャージ手段は、前記表示エリアの一部分の領域に対してのみ表示駆動を行うパーシャルモードにおける非表示領域期間ではプリチャージ動作を停止する
ことを特徴とする請求項１記載の液晶表示装置。
【請求項９】
前記プリチャージ手段は、前記プリチャージ信号に代えて外部から与えられるテスト用信号を前記データ線の各々に書き込む
ことを特徴とする請求項１記載の液晶表示装置。
【請求項１０】
画素が行列状に配置されてなる表示エリア内のデータ線の各々に表示信号を書き込む前に、液晶への電圧非印加時の階調レベルであり、ノーマルホワイトのとき白レベル、ノーマルブラックのとき黒レベルであるプリチャージ信号レベルとして前記データ線の各々に書き込む
ことを特徴とする液晶表示装置の駆動方法。
【請求項１１】
出力表示部を具備し、この出力表示部として液晶表示装置を用いた携帯端末であって、
前記液晶表示装置は、
画素が行列状に配置されてなる表示エリア内のデータ線の各々に表示信号を書き込む信号書き込み手段と、
前記信号書き込み手段によって前記各データ線に表示信号を書き込む前に、液晶への電圧非印加時の階調レベルをプリチャージ信号レベルとして前記データ線の各々に書き込むプリチャージ手段とを備え、
前記プリチャージ信号レベルがノーマルホワイトのとき白レベル、ノーマルブラックのとき黒レベルである
ことを特徴とする携帯端末。
【請求項１２】
前記出力表示部は、その表示エリアの一部分の領域に対してのみ表示駆動を行うパーシャルモードの設定が可能であり、
前記プリチャージ手段は、前記パーシャルモードにおける非表示領域期間ではプリチャージ動作を停止する
ことを特徴とする請求項１１記載の携帯端末。
【発明の詳細な説明】
【技術分野】
【０００１】
本発明は、液晶表示装置およびその駆動方法、ならびに携帯端末に関し、特にプリチャージ方式のアクティブマトリクス型液晶表示装置およびその駆動方法、ならびに当該液晶表示装置を出力表示部として搭載した携帯端末に関する。
【背景技術】
【０００２】
近年、急速に普及してきている携帯電話機に代表される携帯端末では、その出力表示部として液晶表示装置が多用されている（例えば、特許文献１参照）。これら携帯端末は、特に屋外で使用される頻度が極めて高いことから、当該携帯端末には広い温度範囲で確実に動作できることが要求される。そして、その動作補償温度範囲としては、特に下限が極めて低い温度（例えば、−３０℃程度）に設定されている。
【０００３】
【特許文献１】特開２００１−２９０４６０号公報
【発明の開示】
【発明が解決しようとする課題】
【０００４】
一方、液晶表示装置においては、低温における液晶誘電率の周波数特性の悪化に起因して、低温時のコントラストが低下するという問題がある。すなわち、図３に示す単位画素の等価回路において、低温では液晶材料の抵抗成分Ｒが増加したように見え、液晶容量Ｃｌｃの画素電極が決められた期間の間に十分に充電されなくなり、画素に目的の信号電圧を書き込めなくなるため、コントラストが低下するのである。
【０００５】
この低温時のコントラスト低下の問題は、消費電力の低減を目的としてシステムを低電圧化し、液晶容量Ｃｌｃに印加する電圧を下げた液晶表示装置の場合に特に顕著に現れる。これを解消するために、液晶容量Ｃｌｃに印加する電圧を上げた場合には、データ線を駆動するデータドライバの出力回路に大きな電流能力が必要となるため、当該出力回路の消費電流が増加するとともに、回路面積が増大するという新たな問題が発生する。
【０００６】
また、例えばカラー液晶表示装置において、横に並んだ３つの色に対応する３つの色信号を１水平期間内に時系列に表示エリア内のデータ線にサンプリングすることで、データドライバの出力本数を１／３に削減可能としたいわゆるセレクタ駆動方式が知られている。このセレクタ駆動方式の液晶表示装置では、３つの色信号を１水平期間内に順にサンプリングすることから、特にサンプリング順が３番目の色については画素に書き込む時間が短くなり、それが低温時には先述した理由によって顕著に現れ、画素に目的の信号電圧を書き込めなくなるため、サンプリング順が３番目の色のコントラストが大きく低下し、色度シフト（色度悪化）が起こるという問題がある。
【０００７】
本発明は、上記課題に鑑みてなされたものであり、その目的とするところは、消費電力を抑えつつ低温時のコントラスト特性を向上できるとともに、セレクタ駆動方式においては低温時の色度シフトを低減できる液晶表示装置およびその駆動方法、ならびに当該液晶表示装置を出力表示部として搭載した携帯端末を提供することにある。
【課題を解決するための手段】
【０００８】
上記目的を達成するために、本発明では、表示エリア内のデータ線の各々に表示信号を書き込む前に、液晶への電圧非印加時の階調レベルをプリチャージ信号レベルとしてデータ線の各々に書き込む構成を採っている。ここで、液晶への電圧非印加時の階調レベルとは、ノーマルホワイト型液晶表示装置にあっては白レベル、ノーマルブラック型液晶表示装置にあっては黒レベルである。
【０００９】
液晶表示装置において、低温時には液晶材料の抵抗成分が増加することで、液晶誘電率の周波数特性が悪化し、液晶容量の画素電極に対して決められた期間内に目的の信号電圧を書き込めなくなる。そこで、画素への信号書き込みに先立って液晶への電圧非印加時の階調レベルをプリチャージ信号レベルとして書き込むことで、その階調信号レベルからデータ線の駆動を開始すれば良いため、目的の信号電圧の書き込みに要する時間が短くて済む。したがって、低温時に液晶誘電率の周波数特性が悪化しても、液晶容量の画素電極に対して決められた期間内に目的の信号電圧を書き込めるため、低温時のコントラストが増加する。
【発明の効果】
【００１０】
本発明によれば、画素への表示信号の書き込みに先立ってプリチャージ動作を行うに際して、そのプリチャージ信号として液晶への電圧非印加時の階調レベルを用いることにより、低温時に液晶材料の抵抗成分が増加したとしても、画素に目的の信号電圧を確実に書き込めるため、消費電力を上げることなく低温時のコントラスト特性を向上できる。
【発明を実施するための最良の形態】
【００１１】
以下、本発明の実施の形態について図面を参照して詳細に説明する。
【００１２】
図１は、本発明の一実施形態に係るアクティブマトリクス型液晶表示装置の構成を示す回路図である。ここでは、簡単のために、４行６列の画素配列の場合を例に挙げて示している。
【００１３】
図１において、ゲート線１１−１〜１１−４の各々とデータ線１２−１〜１２−６の各々とがマトリクス状に配線されている。これら配線の交差部には、画素１３が行列状に配置されて表示エリア１４を構成している。画素１３は、ゲート電極がゲート線１１−１〜１１−４に、ソース電極（又は、ドレイン電極）がデータ線１２−１〜１２−６にそれぞれ接続された画素トランジスタＴＦＴ(Thin Film Transistor)と、この画素トランジスタＴＦＴのドレイン電極（又は、ソース電極）に画素電極が接続された液晶セルＬＣと、この液晶セルＬＣに対して並列に接続された保持容量Ｃｓとを有する構成となっている。
【００１４】
この画素構造において、液晶セルＬＣの対向電極は各画素間で共通に接続されている。そして、液晶セルＬＣの対向電極には、コモン電圧ＶＣＯＭが共通に与えられる。後述するＩＨ（Ｈは水平期間）反転駆動または１Ｆ（Ｆは１フィールド相当期間）反転駆動を行う場合には、データ線１２−１〜１２−６に書き込まれる表示信号は、このコモン電圧ＶＣＯＭを基準として極性反転を行うことになる。
【００１５】
また、本実施形態に係る液晶表示装置においては、コモン電圧ＶＣＯＭを１Ｈ周期または１Ｆ周期で極性を反転させるＶＣＯＭ反転駆動が併用されている。このＶＣＯＭ反転駆動をＩＨ反転駆動または１Ｆ反転駆動と併用することにより、後述するデータドライバの出力回路の動作電源電圧が併用しない場合の半分で済むため、データドライバの低電圧化が可能となる。
【００１６】
コモン電圧ＶＣＯＭとしては、表示信号の振幅が例えば０−３．３Ｖとした場合、ほぼ同じ振幅の交流電圧が用いられる。実際には、データ線１２−１〜１２−６から画素トランジスタＴＦＴを通して液晶セルＬＣの画素電極に信号を書き込む際に、寄生容量などに起因して画素トランジスタＴＦＴで電圧降下が生じることから、コモン電圧ＶＣＯＭとしては、その電圧降下分だけシフトした振幅の交流電圧が用いられる。このＶＣＯＭ反転駆動に伴い、保持容量Ｃｓの対向電極側の電極には、コモン電圧ＶＣＯＭに同期して極性が反転し、コモン電圧ＶＣＯＭと同振幅の電圧がＣｓ線（対向電極側配線）１５を介して与えられる。
【００１７】
表示エリア１４の例えば左側には、垂直駆動手段であるスキャンドライバ１６が配されている。このスキャンドライバ１６は、１フィールド期間ごとにゲート線１１−１〜１１−４を順次駆動して画素１３を行単位で選択する処理を行う。表示エリア１４の例えば上側にはデータドライバ１７が、さらにこのデータドライバ１７と表示エリア１４との間にはセレクタスイッチ１８がそれぞれ配され、表示エリア１７の例えば下側にはプリチャージスイッチ１９が配されている。
【００１８】
データドライバ１７は、表示エリア１４の画素配列の３列ごとにＢ（青），Ｇ（緑），Ｒ（赤）の三原色の表示信号を、例えばＢ，Ｇ，Ｒの順に繰り返して出力する。この繰り返し周期は通常は１Ｈ周期となる。すなわち、Ｂ，Ｇ，Ｒの各色信号が１Ｈ期間内に時系列で出力される。このとき、これら色信号の極性は、コモン電圧ＶＣＯＭを基準に１Ｈごとに反転する。これにより、画素１２の各々に印加する表示信号の極性が１Ｈごとに反転する１Ｈ反転駆動が実現される。
【００１９】
省エネ（省電力）モードの設定時には、データドライバ１７は、Ｂ，Ｇ，Ｒの色信号を１フィールド期間（１Ｆ）の繰り返し周期で出力する。このとき、これら色信号の極性は、コモン電圧ＶＣＯＭを基準に１Ｆごとに反転する。これにより、画素１２の各々に印加する表示信号の極性が１Ｆごとに反転する１Ｆ反転駆動が実現される。ここで、１Ｆ反転駆動の場合には、色信号の極性反転を１Ｈ反転駆動の場合に比べて極端に少なくて済み、データドライバ１７の出力回路での電力消費を抑えることができるため、消費電力を低減できる（省エネ）。
【００２０】
このように、データドライバ１７からは、Ｂ，Ｇ，Ｒの色信号の時系列信号である表示信号Ｓｉｇ１，Ｓｉｇ２，…が、表示エリア１４の画素配列における同一行の隣接する複数個、例えば３画素を単位として出力され、セレクタスイッチ１８に供給される。このセレクタスイッチ１８は、表示エリア１４において横に並んだ３つの色に対応する画素の表示信号を１水平期間内に時系列にデータ線１２−１〜１２−６にサンプリングするセレクタ駆動方式を実現するためのスイッチである。
【００２１】
具体的には、セレクタスイッチ１８は、表示信号Ｓｉｇ１に対して３個のアナログスイッチＳＷｓＢ−１，ＳＷｓＧ−１，ＳＷｓＲ−１が組、表示信号Ｓｉｇ２に対して３個のアナログスイッチＳＷｓＢ−２，ＳＷｓＧ−２，ＳＷｓＲ−２が組、…という構成となっている。そして、各組ごとにアナログスイッチの入力端が共通に接続され、また各出力端が表示エリア１４内のデータ線１２−１〜１２−６の各一端にそれぞれ接続されている。
【００２２】
そして、セレクタスイッチ１８において、同色のアナログスイッチ同士が外部から時系列で与えられるセレクトパルスＳＥＬ−Ｂ，ＳＥＬ−Ｇ，ＳＥＬ−Ｒのタイミングでオン／オフ動作を行う。具体的には、アナログスイッチＳＷｓＢ−１とＳＷｓＢ−２がＢのセレクトパルスＳＥＬ−Ｂのタイミングで、アナログスイッチＳＷｓＧ−１とＳＷｓＧ−２がＧのセレクトパルスＳＥＬ−Ｇのタイミングで、アナログスイッチＳＷｓＲ−１とＳＷｓＲ−２がＲのセレクトパルスＳＥＬ−Ｒのタイミングでそれぞれオン／オフ動作を行う。
【００２３】
このセレクタスイッチ１８を用いて、表示信号Ｓｉｇ１，Ｓｉｇ２を１水平期間内に時系列にサンプリングし、水平方向に並んだ画素、即ち行単位の画素に対応する表示信号を１水平期間内に一括して表示エリア１４内のデータ線１２−１〜１２−６に供給するセレクタ駆動方式を採ることにより、データドライバ１７の出力本数を表示エリア１４内のデータ線１２−１〜１２−６の本数の１／３に削減できるメリットがある。
【００２４】
プリチャージスイッチ１９は、セレクタスイッチ１８によるサンプリングによってデータ線１２−１〜１２−６に表示信号Ｓｉｇ１，Ｓｉｇ２を書き込む直前に、データ線１２−１〜１２−６にプリチャージ信号Ｐｓｉｇを書き込むプリチャージ方式を実現するためのスイッチである。
【００２５】
具体的には、プリチャージスイッチ１９は、表示エリア１２の画素配列の列数に対応した数のアナログスイッチＳＷｐ−１〜ＳＷｐ−６によって構成されている。そして、これらアナログスイッチＳＷｐ−１〜ＳＷｐ−６の各一端は共通に接続されてプリチャージ信号Ｐｓｉｇの入力端となり、各他端は表示エリア１４内のデータ線１２−１〜１２−６の各他端にそれぞれ接続されている。そして、アナログスイッチＳＷｐ−１〜ＳＷｐ−６は、一番目のセレクトパルスＳＥＬ−Ｂに先立って外部から与えられるプリチャージパルスＰＣＧのタイミングでオン／オフ動作を行う。
【００２６】
ここで、アナログ点順次方式の液晶表示装置において、プリチャージを行わない場合、即ち表示信号Ｓｉｇ１，Ｓｉｇ２の書き込みに先立って、データ線１２−１〜１２−６にあらかじめプリチャージ信号Ｐｓｉｇを書き込まない場合を考えると、先述した１Ｈ反転駆動を行う場合、データ線１２−１〜１２−６への信号書き込みによる充放電電流が大きいと、縦スジなどのノイズとなって表示画面上に現れる。これに対して、データ線１２−１〜１２−６にあらかじめプリチャージ信号Ｐｓｉｇを書き込む、一般的には、ノーマリホワイト型ではグレーもしくは黒レベルをプリチャージ信号Ｐｓｉｇとして書き込むことで、信号書き込みによる充放電電流を抑えることができるためノイズを低減できる。
【００２７】
一方、低温特性改善のために、これと同様な信号を用いたプリチャージを行うと消費電力が増加することになる。このプリチャージに起因する消費電力の増加を抑えるために、本実施形態に係る液晶表示装置においては、プリチャージ信号Ｐｓｉｇとして、液晶への電圧非印加時の階調レベル、即ちノーマリホワイト型液晶表示装置では白レベル、ノーマリブラック型液晶表示装置では黒レベルをそれぞれ用いるようにしている。具体的には、ノーマリホワイト型液晶表示装置の場合を例に採ると、コモン電圧ＶＣＯＭが液晶への電圧非印加時の階調レベル、即ち白レベルに相当するため、本実施形態に係る液晶表示装置では、コモン電圧ＶＣＯＭをプリチャージ信号Ｐｓｉｇとして用いている。
【００２８】
このように、プリチャージ方式のアクティブマトリクス型液晶表示装置において、プリチャージ信号Ｐｓｉｇとして液晶への電圧非印加時の階調レベル、例えばコモン電圧ＶＣＯＭを用い、データドライバ１７から供給される目的の表示信号Ｓｉｇ１，Ｓｉｇ２，…をセレクタスイッチ１８でサンプリングする直前に、プリチャージスイッチ１９をプリチャージパルスＰＣＧのタイミングでオン／オフ動作させて、データ線１２−１〜１２−６にコモン電圧ＶＣＯＭをプリチャージし、次いでセレクタスイッチ１８をセレクトパルスＳＥＬ−Ｂ，ＳＥＬ−Ｇ，ＳＥＬ−Ｒのタイミングで順次オン／オフ動作させて、データ線１２−１〜１２−６を通して各画素１３に目的の信号を書き込む動作を行うことにより、次のような作用効果を得ることができる。
【００２９】
例えばノーマリホワイト型液晶表示装置において、ＢＧＲの順にサンプリングする際に２番目のＧの画素に対して例えば黒信号を書き込む場合を例に採って、図２のタイミングチャートを用いて説明する。ＶＣＯＭ反転駆動により、コモン電圧ＶＣＯＭはデータドライバ１７の出力信号Ｓｉｇと逆相になっている。
【００３０】
ここで、プリチャージ無しの場合には、この逆相のコモン電圧ＶＣＯＭの影響を受けて、書き込み前のＧのデータ線電位Ｓｉｇ−Ｇが、図２に点線で示すように、本来の電位レベルよりも低下する。これにより、図３に示す単位画素の等価回路において、液晶容量Ｃｌｃの画素電極電位Ｖｐも同様に低下する（図２の点線）。ここで、低温時において液晶材料の抵抗成分Ｒが大きくなると、決められた期間内に目的の信号電圧を画素に十分に書き込めなくなるため、コントラスト低下の問題が発生する。
【００３１】
これに対して、黒信号の書き込みに先立って、プリチャージパルスＰＣＧ（低レベルでアクティブ）Ｇのデータ線にあらかじめプリチャージ信号Ｐｓｉｇとして液晶への電圧非印加時の階調信号、本例ではコモン電圧ＶＣＯＭをプリチャージすることにより、Ｇのデータ線電位Ｓｉｇ−Ｇが、図２に実線で示すように中間レベルとなり、これに伴って液晶容量Ｃｌｃの画素電極電位Ｖｐも中間レベルとなる。そして、ＧのセレクタパルスＳＥＬ−ＧによってセレクタスイッチＳＷｓＧがオンすることで、その中間レベルから信号Ｓｉｇ−Ｇが立ち上がることになる。したがって、低温時に液晶材料の抵抗成分Ｒが増加したとしても、液晶容量Ｃｌｃの画素電極を決められた期間内に十分に充電することができ、画素に目的の信号電圧を確実に書き込めるため、低温時のコントラストが増加する。
【００３２】
しかも、プリチャージ無しの場合には、図２に点線線で示すように、液晶容量Ｃｌｃの画素電極電位Ｖｐが決められた期間内に目的の信号レベルに達し得ず、特にＢＧＲの順にサンプリングする際に最後のＲではそれが顕著となり、低温時においてＲのコントラストが大きく低下することになるが、上述したプリチャージを行い、液晶容量Ｃｌｃの画素電極電位Ｖｐを中間レベルとすることで、液晶容量Ｃｌｃの画素電極電位Ｖｐが決められた期間内に目的の信号レベルに十分に達することができるため、低温時の色度シフトを大きく低減できる。
【００３３】
なお、上記実施形態においては、液晶への電圧非印加時の階調レベルとして、液晶セルＬＣの対向電極に与えるコモン電圧ＶＣＯＭを用いる場合を例に挙げて説明したが、コモン電圧ＶＣＯＭに限られるものではなく、例えば保持容量ＣｓのＣｓライン側電極に与える電圧がコモン電圧ＶＣＯＭとほぼ同レベルであるため当該電圧を液晶への電圧非印加時の階調レベル、即ちプリチャージ信号Ｐｓｉｇとして用いることも可能である。
【００３４】
ここで、保持容量ＣｓのＣｓライン側電極に与える電圧をプリチャージ信号Ｐｓｉｇとして用いるとした場合には、Ｃｓライン１５を駆動するためのＣｓドライバ（図示せず）を、プリチャージスイッチ（プリチャージドライバ）１９に兼用することが可能となる。このとき、Ｃｓドライバは一般にはＣＭＯＳインバータで構成し得るため、当該回路には直流電流はほとんど流れない。一方、プリチャージ動作を行うことで、データドライバ１７の出力回路（アナログ回路）において、必要な充放電電荷量の半分をプリチャージドライバ（Ｃｓドライバ）に担当させることになるため、当該出力回路の消費電流を低減できる。したがって、本液晶表示装置全体の低消費電力化に大きく寄与できる。
【００３５】
また、上記実施形態では、ＶＣＯＭ反転駆動方式の液晶表示装置に適用した場合を例に挙げたが、本発明はＶＣＯＭ反転駆動に限られるものではなく、コモン電圧ＶＣＯＭを所定の直流電圧に固定とした場合にも同様に適用可能である。このときは、保持容量ＣｓのＣｓライン側電極に与える電圧（Ｃｓ線１５の電位）もコモン電圧ＶＣＯＭもしくは他のＤＣレベルに固定となる。
【００３６】
さらに、上記実施形態では、セレクタ駆動方式の液晶表示装置に適用した場合を例に挙げたが、本発明はセレクタ駆動方式以外の駆動方式、例えば表示エリア１４内の行単位の画素に対応する表示信号を、１水平期間内に一括してサンプリングしてデータ線の各々に供給する線順次駆動方式や、表示エリア１４内の行単位の画素に対応する表示信号を、１水平期間内に順にサンプリングしてデータ線の各々に供給する点順次駆動方式にも同様に適用可能である。特に、点順次駆動方式に適用した場合には、サンプリングの最後の方の画素についての信号書き込み期間が短くなるため、低温時のシェーディング低減の効果が得られる。
【００３７】
図４は、上記実施形態に係る液晶表示装置の具体的な構成例を示すブロック図であり、図中、図１と同等部分には同一符号を付して示している。
【００３８】
本構成例では、データドライバ１７がＩＣで作成されており、ガラス基板２１上にＣＯＧ(Chip On Glass) 実装されている。ガラス基板２１上における表示エリア１４に対するデータドライバ１７、セレクタスイッチ１８およびプリチャージスイッチ１９の配置関係は図１の場合と同じである。ただし、ここでは、スキャンドライバ１６を省略している。データドライバ１７には、フレキシブルプリント基板２２を介して外部から、後述する制御信号ＰＲＳの出力の仕方を設定する設定信号ＰＲＭ１，２，３が入力される。
【００３９】
データドライバ１７は、プリチャージスイッチ１９を水平ブランキング期間にアクティブにするか否かを定義する制御信号ＰＲＳを、１Ｆ反転駆動モード時やパーシャルモードにおける非表示領域期間で出力する。データドライバ１７からはさらに、液晶への電圧非印加時の階調信号がプリチャージ信号Ｐｓｉｇとして出力される。この液晶への電圧非印加時の階調信号としては、先の実施形態ではコモン電圧ＶＣＯＭが用いられる。
【００４０】
データドライバ１７の制御信号ＰＲＳの出力端子とテストパッド２３のＰＲＳ端子とガラス基板２１上に形成されたレベルシフト回路２４とは、配線２５によって電気的に接続されている。そして、データドライバ１７から出力される制御信号ＰＲＳは、当該配線２５を通してレベルシフト回路２４に供給される。
【００４１】
レベルシフト回路２４は、制御信号ＰＲＳを第１電圧レベル、例えば３．３Ｖからそれよりも高い第２電圧レベル、例えば７．０Ｖにレベル変換（レベルシフト）する。このレベル変換された制御信号ＰＲＳはプリチャージパルスＰＣＧを生成するパルス生成回路２６に与えられ、当該プリチャージパルスＰＣＧを生成するか否かの制御を行う。パルス生成回路２６で生成されたプリチャージパルスＰＣＧは、プリチャージスイッチ１９に与えられる。
【００４２】
データドライバ１７のプリチャージ信号Ｐｓｉｇの出力端子とテストパッド２７のＴｓｉｇ端子とプリチャージスイッチ１９とは、配線２８によって電気的に接続されている。そして、データドライバ１７から出力されるプリチャージ信号Ｐｓｉｇは、当該配線２８を通してプリチャージスイッチ１９に供給される。
【００４３】
さらに、フレキシブルプリント基板２２のＴＭＳ端子とテストパッド２７のＴＭＳ端子とプリチャージスイッチ１９とは、配線２９によって電気的に接続されている。フレキシブルプリント基板２２のＴＭＳ端子には、制御信号ＴＭＳが外部から入力され、さらに配線２９を通してプリチャージスイッチ１９に供給される。この制御信号ＴＭＳは、プリチャージスイッチ１９をテストモードにするかプリチャージ駆動モードにするかを選択する信号である。
【００４４】
上記構成の具体例に係る液晶表示装置において、フレキシブルプリント基板２２のＴＭＳ端子を通して入力される制御信号ＴＭＳによってプリチャージスイッチ１９をテストモードに設定した場合には、テストパッド２７のＴｓｉｇ端子からテスト用信号Ｔｓｉｇを入力し、配線２８を通してプリチャージスイッチ１９にテスト用信号Ｔｓｉｇを与えることで、ドライバＩＣ（データドライバ１７）未実装時のパネル表示テストを行うことができる。このとき、プリチャージスイッチ１９はテストスイッチとして機能する。
【００４５】
データドライバ１７を実装した状態においては、データドライバ１７からから出力される制御信号ＰＲＳによってプリチャージスイッチ１９が水平ブランキング期間にアクティブ状態となることで、先の実施形態で説明したように、データドライバ１７によって表示エリア１４内の各データ線に信号を書き込む前に、プリチャージスイッチ１９によってプリチャージ信号Ｐｓｉｇを書き込むプリチャージ動作が行われる。
【００４６】
また、データドライバ１７から出力される制御信号ＰＲＳにより、１Ｆ駆動反転モード時やパーシャルモードにおける非表示領域期間において、プリチャージスイッチ１９が水平ブランキング期間に非アクティブ状態となることで、１Ｆ反転駆動モード時やパーシャルモードにおける非表示領域期間においてはプリチャージ動作を停止する。これにより、本液晶表示装置のさらなる低消費電力化を図ることができる。
【００４７】
すなわち、１Ｆ反転駆動モードでは、１Ｈ反転駆動モードに比べて画素への信号書き込み時間を長くとれるため、低温時のコントラスト低下の問題が生じにくい。したがって、プリチャージ動作を停止することで、プリチャージスイッチ１９の駆動に要する電力分だけ消費電力を低減できることになる。
【００４８】
また、パーシャルモードにおける非表示領域期間では、例えばノーマルホワイト型液晶表示装置の場合を例に挙げると、非表示領域には白を表示することになり、データ線には白信号を書き込む。このことは、データ線にコモン電圧ＶＣＯＭをプリチャージ信号Ｐｓｉｇとして書き込むことと等価であり、プリチャージ動作を行う必要がないことを意味する。したがって、上記の場合と同様に、プリチャージ動作を停止することで、消費電力を低減できることになる。
【００４９】
図５は、本発明に係る携帯端末装置、例えば携帯電話機の構成の概略を示す外観図である。
【００５０】
本例に係る携帯電話機は、装置筐体４１の前面側に、スピーカ部４２、出力表示部４３、操作部４４およびマイク部４５を上部側から順に配置された構成となっている。かかる構成の携帯電話機において、出力表示部４３には液晶表示装置が用いられ、この液晶表示装置として先述した実施形態あるいはその具体例に係る液晶表示装置が用いられる。
【００５１】
この種の携帯電話機における出力表示部４３には、スタンバイモード等での表示機能として、画面の縦方向における一部の領域にのみ画表示を行うパーシャル表示モード（部分表示モード）がある。一例として、スタンバイモードでは、図６に示すように、画面の一部の領域にバッテリ残量、受信感度あるいは時間などの情報が常に表示された状態にある。そして、残りの非表示領域には、ノーマリホワイト型液晶表示装置では白表示、ノーマリブラック型液晶表示装置では黒表示が行われる。
【００５２】
このように、出力表示部４３を搭載した携帯電話機において、その出力表示部４３として先述した実施形態あるいはその変形例に係る液晶表示装置を用いて、画素への表示信号の書き込みに先立ってプリチャージ動作を行うことにより、動作補償温度範囲が広い携帯電話機の場合であっても、特に低温時のコントラスト特性を向上できるため、どのような温度環境にあってもより高画質の画像表示が可能となる。
【００５３】
また、スタンバイモード等でパーシャル表示を行う場合には、非表示領域ではプリチャージ動作を停止させることにより、プリチャージドライバで消費する分だけ出力表示部４３の低消費電力化が可能であるため、主電源であるバッテリの一回の充電での使用時間の長時間化が図れるという利点もある。
【００５４】
なお、ここでは、携帯電話機に適用した場合を例に採って説明したが、これに限られるものではなく、ＰＤＡ（Personal Digital Assistants）など携帯端末全般に適用可能である。
【図面の簡単な説明】
【００５５】
【図１】本発明の一実施形態に係るアクティブマトリクス型液晶表示装置の構成を示す回路図である。
【図２】ノーマリホワイト型液晶表示装置において、ＢＧＲの順にサンプリングする際のＧ画素に対して黒信号を書き込む場合の動作説明のためのタイミングチャートである。
【図３】単位画素の等価回路図である。
【図４】本発明の一実施形態に係る液晶表示装置の具体的な構成例を示すブロック図である。
【図５】本発明に係る携帯電話機の構成の概略を示す外観図である。
【図６】出力表示部の表示例を示す図である。
【符号の説明】
【００５６】
１１−１〜１１−４…ゲート線、１２−１〜１２−６…データ線、１３…画素、１４…表示エリア、１６…スキャンドライバ、１７…データドライバ、１８…セレクタスイッチ、１９…プリチャージスイッチ、Ｃｓ…保持容量、ＬＣ…液晶セル、ＴＦＴ…画素トランジスタ
【図１】
2008003618.tif 000003
【図２】
2008003618.tif 000004
【図３】
2008003618.tif 000005
【図４】
2008003618.tif 000006
【図５】
2008003618.tif 000007
【図６】
2008003618.tif 000008